(57)【要約】【課題】リンク機構のガタツキを補正する。【解決手段】シャッタ羽根３１の揺動軌跡内にパッド４５を挿脱してシャッタ速度を切り替えるシャッタ速度切替レバー３９は、一体に設けられた突出片４４が、切替リング５０の２本の挟持ピン５０ｂ，５０ｃに挟み込まれている。切替リング５０が回動すると、挟持ピン５０ｂ，５０ｃのいずれか一方が突出片４４を押圧して、シャッタ速度切替レバー３９を揺動させる。突出片４４の挟持ピン５０ｃが当接する部分に切欠４４ａを形成することで、突出片４４と挟持ピン５０ｃとの当接が安定するため、シャッタ速度切替レバー３９と切替リング５０との間でガタつきは発生しない。【選択図】　　　　図４
2004069853.tif 000002
【特許請求の範囲】
【請求項１】
揺動自在に保持された揺動部品と、この揺動部品から突出された突出片を挟み込む一対の挟持片を有し、移動時にいずれか一方の挟持片で突出片を押圧して揺動部品を揺動させる駆動部品とを含むリンク機構において、
前記突出片の挟持片との当接部分に、突出片と挟持片との間のガタつきを補正する切欠を設けたことを特徴とするリンク機構。
【発明の詳細な説明】
【０００１】
【発明の属する技術分野】
本発明は、リンク機構に関し、更に詳しくは、リンク機構を構成する二つの部品のリンク部分でのガタツキを防止したリンク機構に関するものである。
【０００２】
【従来の技術】
簡単な撮影機構を備え、製造時に写真フイルムが装填されるレンズ付きフイルムユニットが各種製造販売されている。各種レンズ付きフイルムユニットの中には、絞りやシャッタ速度，ストロボ光量等の露出設定や、焦点距離，撮影画角等が切り替えられるものがある。
【０００３】
特願２００２−１５１３２９号明細書に記載されているレンズ付きフイルムユニットには、シャッタ羽根の移動軌跡内に入り込み、シャッタ羽根の移動軌跡を小さくする高速シャッタ位置と、シャッタ羽根の移動軌跡から退避して移動軌跡を大きくする低速シャッタ位置との間で揺動自在とされたシャッタ速度切替レバーが設けられている。このシャッタ速度切替レバーには、回転中心から放射状に突出された突出片が設けられており、この突出片が押圧されることで、高速シャッタ位置と低速シャッタ位置との間を揺動されるようになっている。
【０００４】
上記シャッタ速度切替レバーは、撮影レンズの外周に回動自在に保持された切替リングによって揺動される。切替リングには、シャッタ速度切替レバーの突出片を挟み込む一対の挟持ピンが設けられており、回動時にいずれか一方の挟持ピンで突出片を押圧して、シャッタ速度切替レバーを揺動させている。この切替リングは、レンズ付きフイルムユニットの外部に設けられた操作部材に連動している。
【０００５】
【発明が解決しようとする課題】
上述したシャッタ駆動レバーと切替リングとに限らず、二つの部品をリンクさせた場合には、二つの部品の間でガタツキが生じる場合がある。特に、シャッタ駆動レバーと切替リングとでは、両者の回動位置によって突出片と挟持片との当接状態に変化が生ずるため、ガタツキが発生しやすい。シャッタ駆動レバーにガタツキが生ずると、シャッタ速度が適切に切り替えられなくなり、適正な露出での撮影が行なえなくなる。
【０００６】
本発明は、上記問題点を解決するためのもので、リンク機構のガタツキを補正することを目的とする。
【０００７】
【課題を解決するための手段】
上記問題点を解決するために、本発明のリンク機構は、揺動自在に保持された揺動部品と、この揺動部品から突出された突出片を挟み込む一対の挟持片を有し、移動時にいずれか一方の挟持片で突出片を押圧して揺動部品を揺動させる駆動部品とを含むリンク機構において、突出片の挟持片との当接部分に、突出片と挟持片との間のガタツキを補正する切欠を設けたものである。
【０００８】
【発明の実施の形態】
図１は、本発明を実施したレンズ付きフイルムユニットの外観形状を示す斜視図である。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【０００９】
ユニット本体３の前面には、撮影レンズ５，ファインダ６，ストロボ発光部７，撮影モード選択部８等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００１０】
撮影モード選択部８は、ユニット本体３の前面に形成された操作開口１４と、この操作開口１４内で移動自在とされた略小判形状の操作部材１５とからなる。操作部材１５は、操作開口１４内の下方に位置する第１操作位置と、図２（Ａ）に示すように、第１操作位置から上方に向けてスライドされた第２操作位置と、同図（Ｂ）に示すように、第２操作位置から図中時計方向に回動される第３操作位置との間で移動される。
【００１１】
レンズ付きフイルムユニット２は、操作部材１５が第１操作位置にある際に、ストロボＯＦＦ及び小絞り及び高速シャッタの日中撮影モードとなる。また、操作部材１５が第２操作位置にある際には、ストロボＯＮ及び小絞り及び高速シャッタの日中シンクロ撮影モードとなる。操作部材１５が第３操作位置にある際には、ストロボＯＮ及び大絞り及び低速シャッタの夜間シンクロ撮影モードとなる。この夜間シンクロ撮影モードでは、ストロボ発光部７の前方に板状の減光部材が下方から挿入され、ストロボ光量の減光が図られる。また、ファインダ６の前方には、夜間シンクロ撮影モードにあることを表す指標板が突出される。
【００１２】
図３は、ユニット本体３の構成を示す分解斜視図である。ユニット本体３は、１３５タイプのフイルムパトローネ１７が装填される本体基部１８と、この本体基部１８の前面側に取り付けられるストロボユニット１９と、撮影モードの切り替えを行うモード切替機構２０と、本体基部１８の前面側及び背面側に取り付けられる前カバー２１及び後カバー２２とからなる。
【００１３】
ストロボユニット１９は、各種電気部品が取り付けられてストロボ回路が形成されたプリント基板２３と、放電管やリフレクタ，拡散板等からなるストロボ発光部７とから構成されている。また、プリント基板２３には、シャッタレリーズによりオンしてストロボ発光を行わせるシンクロスイッチ２４と、撮影モード選択部８の操作部材１５の移動によってオン／オフされる充電スイッチを構成する金属接片２５と、電池２６をストロボ回路に接続する電池接片２７等が取り付けられている。
【００１４】
本体基部１８の前面中央には、遮光筒２９が設けられている。この遮光筒２９の周囲には、シャッタチャージ機構，シャッタレリーズ機構，フイルム巻上げ機構，フイルム巻止機構，フイルムカウント機構，絞り切替機構，シャッタ速度切替機構，撮影光学系，ファインダ光学系等が組み込まれている。
【００１５】
図４は、遮光筒２９の周囲に組み込まれたシャッタレリーズ機構，絞り切替機構，シャッタ速度切替機構，撮影光学系を構成する複数の部品のうち、シャッタ速度切替機構に関連する部品構成を示す分解斜視図である。符号３１は、シャッタ羽根である。シャッタ羽根３１は、ピンに挿通されて揺動自在に保持される穴３１ａと、露光開口３２の前方に配置されて開閉を行う開閉部３１ｂと、バネ３３が掛けられるピン３１ｃと、シャッタ駆動レバーによって蹴飛ばされる突出部３１ｄと、ストロボユニット１９のシンクロスイッチ２４を動作させるシンクロ突起３１ｅとが設けられている。
【００１６】
シャッタ羽根３１は、バネ３３に付勢されて露光開口３２を塞ぐ閉じ位置に保持されている。シャッタボタン９が押下されると、図示しないシャッタ駆動レバーによって突出部３１ｄが図中左方から右方へと蹴飛ばされ、バネ３３の付勢に抗してシャッタ羽根３１が図中時計方向に回動する。これにより、露光開口３２が開放されて写真フイルムに撮影が行なわれる。
【００１７】
また、シャッタ羽根３１は、開き位置への回動時にシンクロ突起３１ｅでシンクロスイッチ２４の上部金属接片２４ａを押圧し、下部金属接片２４ｂに接触させる。一対の金属接片２４ａ，２４ｂが接触してシンクロスイッチ２４がＯＮすると、ストロボユニット１９の発光部７においてストロボ発光が行われる。
【００１８】
符号３５は、撮影レンズ５等を保持するレンズホルダである。レンズホルダ３５の前面には、撮影レンズ５等が収納される円筒形状の鏡筒３６と、くの字形状の絞り切替板３７を揺動自在に支持するピン３８とが設けられている。絞り切替板３７は、穴３７ａにピン３８が挿入されることにより、レンズホルダ３５の前面に揺動自在に保持される。そして、小絞り開口３７ｂを撮影光軸上に挿脱することで、絞りを切り替える。
【００１９】
レンズホルダ３５の上部には、シャッタ速度切替レバー３９を揺動自在に支持する軸４０が形成されている。シャッタ速度切替レバー３９は、軸４０に支持されるボス４２と、このボス４２の側面から突出されたアーム４３及び突出片４４と、アーム４３の先端に形成されたパッド４５とからなる。なお、図示していないが、レンズホルダ３５の前面には、撮影レンズ５や絞り切替板３７等を押さえるレンズ押さえ板が取り付けられる。
【００２０】
レンズホルダ３５の軸４０の先端には、一対の係止片４７が対称に形成されている。シャッタ速度切替レバー３９のボス４２には、係止片４７が挿入される一対の溝４８がやはり対称に形成されている。シャッタ速度切替レバー３９を軸４０に取り付ける際には、係止片４７と溝４８とが合致するように軸４０をボス４２に挿入し、係止片４７がボス４２の上部に達するまで挿入してからシャッタ速度切替レバー３９を僅かに回動させる。これにより、ボス４２の上面が係止片４７に押さえられるため、シャッタ速度切替レバー３９がレンズホルダ３５から不用意に外れることはない。
【００２１】
図５（Ａ）に示すように、シャッタ速度切替レバー３９は、パッド４５がシンクロスイッチ２４の下部金属接片２４ｂの自由端側の下方に挿入されて当接する高速シャッタ位置と、同図（Ｂ）に示すように、パッド４５を下部金属接片２４ｂの下方から退避させる低速シャッタ位置との間で回動される。
【００２２】
図６（Ａ）に示すように、シャッタ速度切替レバー３９のパッド４５が高速シャッタ位置にある際にシャッタレリーズが行われると、シャッタ羽根３１のシンクロ突起３１ｅに押圧されたシンクロスイッチ２４の上部金属接片２４ａが下部金属接片２４ｂに接触し、ストロボ発光が行われる。下部金属接片２４ｂはパッド４５に当接するため、シャッタ羽根３１は途中で回動が阻止される。これにより、短時間でシャッタ羽根３１が閉じ位置に復帰する。この高速シャッタでは、例えば１／１２０秒のシャッタ速度を得ることができる。
【００２３】
上記とは逆に、図６（Ｂ）に示すように、シャッタ速度切替レバー３９のパッド４５が低速シャッタ位置にある際には、シャッタ羽根３１の開き位置への回動が大きくなる。これは、金属接片２４ｂの弾性変形が自由になるためである。その結果、シャッタ羽根３１が閉じ位置に復帰するまでの時間が長くなって、シャッタ速度が遅くなる。この低速シャッタでは、例えば１／４５秒のシャッタ速度を得ることができる。
【００２４】
レンズホルダ３５の鏡筒３６の外周には、切替リング５０が回動自在に嵌入される。切替リング５０には、バネ５１の一端が掛けられるバネ掛けピン５０ａと、シャッタ速度切替レバー３９の突出片４４が間に挟み込まれる一対の挟持ピン５０ｂ，５０ｃと、背面側に突出され、撮影モード切替機構２０によって押圧される従動ピン５０ｄとが設けられている。符号５０ｅは、絞り切替板３７の屈曲されたスリット３７ｃに挿入されるリンクピン５０ｅである。
【００２５】
バネ５１の他端は、レンズホルダ３５の前面下部に形成されたピン５３に掛けられ、切替リング５０を図中時計方向に付勢する。なお、バネ５１によって付勢された切替リング５０は、絞り切替板３７によって初期位置に保持される。
【００２６】
符号５５は、操作部材１５が一体に形成された切替板である。この切替板５５には、水平方向に突出された押圧レバー５６が一体に形成されている。操作部材１５が第２操作位置から第３操作位置に回動すると、押圧レバー５６が切替リング５０の従動ピン５０ｄを下方から押圧する。これにより、切替リング５０は図中反時計方向に回動される。
【００２７】
シャッタ速度切替レバー３９は、切替リング５０の回動によって突出片４４が挟持ピン５０ｂまた５０ｃに押圧された時に、高速シャッタ位置と低速シャッタ位置との間で揺動する。シャッタ速度切替レバー３９と切替リング５０とは、ともに異なる面で回動しているため、その回動位置によって突出片４４と挟持ピン５０ｂ，５０ｃとの当接状態が変化し、ガタつきが発生することがある。本実施形態においては、切替リング５０が初期位置にあってシャッタ速度切替レバー３９が高速シャッタ位置にあるときに、突出片４４と挟持ピン５０ｃとの当接状態が安定せず、ガタつきが発生していた。
【００２８】
そのため、本実施形態では、突出片４４の挟持ピン５０ｃに当接する部分に切欠４４ａを形成し、ガタつきの発生を補正している。これにより、図５（Ａ）に示すように、突出片４４と挟持ピン５０ｃとの当接が安定するため、シャッタ速度切替レバー３９と切替リング５０との間でガタつきが発生することはない。
【００２９】
なお、上記実施形態では、シャッタ速度切替レバーの突出片に切欠を形成したが、レンズ付きフイルムユニットのその他の揺動部品に同様の切欠を形成し、ガタつきを防止することもできる。また、その他の各種製品に使用されるリンク機構にも用いることができる。
【００３０】
【発明の効果】
以上説明したように、本発明のリンク機構によれば、二つ部品のリンク部分でのガタつきを簡単に、またローコストに補正することができる。
【図面の簡単な説明】
【図１】本発明を実施したレンズ付きフイルムユニットの外観を示す斜視図である。
【図２】日中シンクロ撮影モード及び夜間シンクロ撮影モードの際の撮影モード選択部の状態を示す説明図である。
【図３】ユニット本体の構成を示す分解斜視図である。
【図４】シャッタ速度切替機構の構成を示す分解斜視図である。
【図５】シャッタ速度切替レバーの高速シャッタ状態と低速シャッタ状態とを示す説明図である。
【図６】シャッタ速度切替機構の高速シャッタ状態と低速シャッタ状態とを示す説明図である。
【符号の説明】
２　レンズ付きフイルムユニット
３９　シャッタ速度切替レバー
４４　突出片
４４ａ　切欠
５０　切替リング
５０ｂ，５０ｃ　挟持ピン
【図１】
2004069853.tif 000003
【図２】
2004069853.tif 000004
【図３】
2004069853.tif 000005
【図４】
2004069853.tif 000006
【図５】
2004069853.tif 000007
【図６】
2004069853.tif 000008